(57)【要約】【課題】第一の可動物と第二の可動物とを組合わせることにより形成される形状を大きく変化させることができるため、遊技者に新鮮な印象を与えることができる遊技機を提供する。【解決手段】遊技機に備えられる可動役物装置３０は、第一の可動物５４と第二の可動物４２とを、左右方向に近接して組合わされた横形状と、上下方向に近接して組合わされた縦形状との間で変化させることを可能とし、第一の可動物５４と第二の可動物４２とを横形状から縦形状に変化させる際には、第一の可動物５４を上下方向の何れか一方に移動させるとともに、第二の可動物４２を第一の可動物５４の上側又は下側に移動させる。【選択図】図３
2015226587.tif 000002
【特許請求の範囲】
【請求項１】
第一の可動物と第二の可動物とを近接させることにより、前記第一の可動物と前記第二の可動物とが組合わされた形状を形成する可動役物装置を備えた遊技機であって、
前記可動役物装置は、
前記第一の可動物と前記第二の可動物とを、左右方向に近接して組合わされた横形状と、上下方向に近接して組合わされた縦形状との間で変化させる、
ことを特徴とする、遊技機。
【発明の詳細な説明】
【技術分野】
【０００１】
本発明は、可動役物装置を備えた遊技機に関する。
【背景技術】
【０００２】
従来、遊技機において、第一の可動物と第二の可動物とを備え、第一の可動物と第二の可動物とが組合わされた形状を形成する可動役物装置に関する技術が知られている（例えば、特許文献１を参照）。
【先行技術文献】
【特許文献】
【０００３】
【特許文献１】特開２０１３−２４０４４１号公報
【発明の概要】
【発明が解決しようとする課題】
【０００４】
前記特許文献１においては、第一の可動物と第二の可動物とをそれぞれ反対の方向に移動させる技術が開示されている。しかし、上記特許文献１に記載の技術は、単に二つの可動物が直線上を移動して接近したり離間したりするものである。即ち、特許文献１に記載の技術は第一の可動物と第二の可動物とが組合わされて形成される形状を大きく変化させる構成ではないため、遊技者に与える印象として新鮮味に欠けていた。
【０００５】
本発明は、可動役物装置において第一の可動物と第二の可動物とを組合わせることにより形成される形状を大きく変化させることができるため、遊技者に新鮮な印象を与えることが可能となる、遊技機を提供するものである。
【課題を解決するための手段】
【０００６】
本発明の解決しようとする課題は以上の如くであり、次にこの課題を解決するための手段を説明する。
【０００７】
即ち、請求項１においては、第一の可動物と第二の可動物とを近接させることにより、前記第一の可動物と前記第二の可動物とが組合わされた形状を形成する可動役物装置を備えた遊技機であって、前記可動役物装置は、前記第一の可動物と前記第二の可動物とを、左右方向に近接して組合わされた横形状と、上下方向に近接して組合わされた縦形状との間で変化させるものである。
【発明の効果】
【０００８】
本発明により、可動役物装置を備えた遊技機において、第一の可動物と第二の可動物とを組合わせることにより形成される形状を大きく変化させることができるため、遊技者に新鮮な印象を与えることが可能となる。
【図面の簡単な説明】
【０００９】
【図１】本発明の一実施形態に係る遊技機の全体的な構成を示した正面図。
【図２】同じく、遊技機の窓枠が開放された状態の構成を示した正面斜視図。
【図３】可動役物装置（横形状）が配置された遊技盤の構成を示した正面図。
【図４】可動役物装置（縦形状）が配置された遊技盤の構成を示した正面図。
【図５】可動役物装置（縦形状）を示した斜視図。
【図６】ベース部材及び第二の駆動部材を示した斜視図。
【図７】第一の駆動部材を示した斜視図。
【図８】（ａ）及び（ｂ）はそれぞれ横形状及び縦形状における可動役物装置を示した正面図。
【図９】（ａ）及び（ｂ）はそれぞれ第二の駆動部材の駆動状態を示した正面図。
【図１０】（ａ）及び（ｂ）はそれぞれ第一の駆動部材の駆動状態を示した正面図。
【発明を実施するための形態】
【００１０】
まず、本発明に係る遊技機の一実施形態の全体的な構成について、図１及び図２を用いて説明する。
なお、以下の説明では、遊技機を遊技者側から見て、手前側を遊技機の前側とし、奥側を遊技機の後側として、前後方向を規定する。また、遊技機を遊技者側から見て、左手側を遊技機の左側とし、右手側を遊技機の右側として、左右方向を規定する。
【００１１】
遊技機は、図１及び図２が示すように、主として、外枠２と、中枠３と、窓枠４と、により構成される枠体に、各種の遊技部品が取り付けられて形成される。
【００１２】
外枠２は、遊技機の外郭を成し、前後面が開口された略四角筒状に形成される枠体である。外枠２は、パチンコホール等の遊技場に設けられた台島に設置される。外枠２には、中枠３が設けられる。
【００１３】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１４】
遊技盤５は、略平板状に形成される部材である遊技板を備える。遊技盤５は、中枠３の下側を除く略全面に渡って、中枠３に着脱自在に取り付けられる。遊技盤５の前側の表面には、遊技球が転動する領域である遊技領域１９が形成される（図３及び図４を参照）。また、遊技盤５における遊技領域１９の部分には、遊技球を不規則に転動させるために図示しない多数の遊技釘が遊技板に打ち込まれている。
【００１５】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１６】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００１７】
次に、遊技盤５の構成について、図３及び図４を用いてさらに詳細に説明する。
【００１８】
遊技盤５には、遊技部品としてガイドレール１０、図柄表示装置１１、図柄表示開口部１２、一般入賞口１３、大入賞装置１４、可変入賞装置１５、アウト口１６、可動役物装置３０などが設けられている。
【００１９】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２０】
図柄表示装置１１は、表示画面２０を設けて、当該表示画面２０に図柄や数字等を変動表示可能に構成される装置である。図柄表示装置１１は、表示画面２０を前方へ向けた状態で、遊技盤５の後側面に取り付けられる。
【００２１】
図柄表示開口部１２は、遊技者が前方から図柄表示装置１１の表示画面２０を視認するための開口部である。図柄表示開口部１２は、正面視で遊技領域１９の概ね中央で、遊技盤５を前後方向に貫通して形成される。図柄表示開口部１２には、図柄表示装置１１の表示画面２０が配置される。これによって、遊技者は、前方から図柄表示開口部１２を通じて遊技盤５の後側面に取り付けられた図柄表示装置１１の表示画面２０を視認することができる。
【００２２】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２３】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２４】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２５】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機が設置されたパチンコホール等の遊技場側に回収される。
【００２６】
可動役物装置３０は、図柄表示開口部１２の上側から表示画面２０の上部の前方に延出して設けられる。可動役物装置３０は、第一のロゴ５４ａとして「お祭り」という文字が形成された第一の可動物５４と、第二のロゴ４２ａとして「男」という文字が形成された第二の可動物４２と、を備える。
【００２７】
遊技盤５の上部左側には、可動役物装置３０のベースとなるカバー部材６１が配設される。カバー部材６１からは第一の支持部材５３が延出され、第一の可動物５４は第一の支持部材５３により支持される。また、カバー部材６１からは第二の支持部材４１が延出され、第二の可動物４２は第二の支持部材４１により支持される。
【００２８】
そして、図３及び図４に示す如く、第一の可動物５４と第二の可動物４２とを近接させて、第一のロゴ５４ａと第二のロゴ４２ａとを組合わせることにより、「お祭り男」という文字（形状）を形成する。本実施形態において、可動役物装置３０は図３に示す如く、第一の可動物５４と第二の可動物４２とを左右方向に隣接した状態（以下、「横形状」と記載する）とすることにより、「お祭り男」の形状を横並びとすることができる。また、図４に示す如く、横形状から可動役物装置３０における第一の可動物５４と第二の可動物４２とを上下方向に隣接した状態（以下、「縦形状」と記載する）として、「お祭り男」の形状を縦並びに変化させることができる。つまり、可動役物装置３０は、第一の可動物５４と第二の可動物４２とを、横方向に近接して組合わされた横形状と、縦方向に近接して組合わされた縦形状との間で変化させることを可能としている。
【００２９】
以下、図５から図１０を用いて、可動役物装置３０の具体的な構成とその駆動状態について説明する。
図５から図７に示す如く、可動役物装置３０は、ベース部材３１、ベース部材３１の前面を被覆するカバー部材６１、カバー部材６１の後面において上下方向にスライド可能に配設される第一の駆動部材５０、ベース部材３１の前面において斜め方向にスライド可能に構成される第二の駆動部材４０等を構成部材として備える。なお、説明の便宜上、図５においてカバー部材６１は二点鎖線で表記し、図８においてはカバー部材６１の記載を省略している。
【００３０】
ベース部材３１は遊技盤５に配設され、可動役物装置３０の基部となる板状の部材である。ベース部材３１には駆動モータ３２が配設される。駆動モータ３２は、ＣＰＵ、ＲＯＭ、ＲＡＭ等を備える図示しない制御手段により制御される。図９（ａ）及び（ｂ）に示す如く、駆動モータ３２において後方に突出する駆動軸３２ａには、ベース部材３１の背後に駆動ギヤ３２ｂが配設されている。
【００３１】
駆動モータ３２の近傍には、円板状の回動部材３３が回動自在に配設される。図９（ａ）及び（ｂ）に示す如く、回動部材３３において後方に突出する回動軸３３ａには、ベース部材３１の背後にギヤ３３ｂが配設されており、ギヤ３３ｂは駆動ギヤ３２ｂに歯合されている。即ち、駆動モータ３２の駆動により、図６中の矢印αに示す如く回動部材３３が回動するように構成されている。図５及び図６に示す如く、回動部材３３における一の外周端部には、前方に突出する回動突出軸３３ｃが形成されている。回動部材３３の回動により、回動突出軸３３ｃは円弧状の軌道上を移動する。
【００３２】
図５及び図６に示す如く、ベース部材３１の前面には、右上から左下に向けた斜め方向に第一のレール部材３４が配設される。第一のレール部材３４には、第一のレール部材３４に沿ってスライド可能に第二の駆動部材４０が配設される。第二の駆動部材４０は第二の支持部材４１と第二の可動物４２とを備える。第二の支持部材４１は板状に形成された部材であり、その左端部には第二の支持部材４１を前後方向に貫通する長穴である係合孔４１ａが形成されている。第二の支持部材４１の後面には第一のレール部材３４に沿ってスライド可能にスライド部材４１ｂ・４１ｂが配設されている。係合孔４１ａに隣接する右側には、前方に突出するスライド突出軸４１ｃが形成されている。第二の支持部材４１の右端部には、前方に突出する支持部４１ｄが形成されている。支持部４１ｄの前端部に第二の可動物４２が配設されることにより、第二の可動物４２と第二の支持部材４１とは第二の駆動部材４０として一体的に構成される。
【００３３】
第二の支持部材４１において、係合孔４１ａには回動部材３３から突出する回動突出軸３３ｃが挿入される。そして、回動部材３３の回動により回動突出軸３３ｃが係合孔４１ａと係合し、第二の支持部材４１及び第二の可動物４２からなる第二の駆動部材４０は図６中の矢印βに示す如く第一のレール部材３４上を斜めにスライドするように構成されている。
【００３４】
一方、カバー部材６１の後面には、板状の第二のレール部材６２が配設される。第二のレール部材６２には上下方向に二本のレール溝６２ａ・６２ａが形成されている。図１０（ａ）及び（ｂ）に示す如く、レール溝６２ａ・６２ａにはスライド軸５２・５２・・が挿入されている。スライド軸５２・５２・・の後方には係合板部５１が、前方には第一の支持部材５３が配設されている。換言すれば、第二のレール部材６２は、レール溝６２ａ・６２ａにスライド軸５２・５２・・が挿入された状態でその前後に係合板部５１及び第一の支持部材５３が配設されている。これにより、第一の支持部材５３は係合板部５１とともにレール溝６２ａ・６２ａに沿って上下動可能に構成される。第一の支持部材５３の下端部には、前方に突出する支持部５３ａが形成されている。支持部５３ａの前端部に第一の可動物５４が配設されることにより、第一の可動物５４、第一の支持部材５３、及び係合板部５１は第一の駆動部材５０として一体的に構成される。
【００３５】
図５及び図７に示す如く、係合板部５１は板状に形成された部材であり、左端部に長穴である係合孔５１ａが前後方向に貫通して形成されている。係合板部５１において、係合孔５１ａには第二の支持部材４１から突出するスライド突出軸４１ｃが挿入される。そして、第二の支持部材４１の矢印β方向への移動によりスライド突出軸４１ｃが係合孔５１ａと係合し、第一の可動物５４、第一の支持部材５３、及び係合板部５１からなる第一の駆動部材５０は図７中の矢印γに示す如く第二のレール部材６２に沿って上下方向にスライドするように構成されている。
【００３６】
可動役物装置３０を図８（ａ）に示す横形状から図８（ｂ）に示す縦形状に変化させる際には、まず、図９（ａ）中の矢印Ａに示す如く、駆動モータ３２及び駆動ギヤ３２ｂを正面視で反時計回りに駆動させる。これにより、図９（ａ）中の矢印Ｂに示す如く、ギヤ３３ｂ及び回動部材３３が時計回りに回動し、回動突出軸３３ｃが円弧状の軌道上を時計回りに移動する。
【００３７】
回動部材３３及び回動突出軸３３ｃの回動により、第二の支持部材４１及び第二の可動物４２からなる第二の駆動部材４０は図９（ａ）中の矢印Ｃに示す如く、第一のレール部材３４上を斜め方向（詳細には、右上から左下方向に向かって）にスライドし、図９（ｂ）に示す如く変位する。
【００３８】
図１０（ａ）中の矢印Ｃに示す如く、第二の支持部材４１におけるスライド突出軸４１ｃの左下方向への移動により、第一の可動物５４、第一の支持部材５３、及び係合板部５１からなる第一の駆動部材５０は図１０（ａ）中の矢印Ｄに示す如く第二のレール部材６２に沿って下方向にスライドし、図１０（ｂ）に示す如く変位する。
【００３９】
上記の如く、本実施形態に係る遊技機は、第一の可動物５４における第一のロゴ５４ａと第二の可動物４２における第二のロゴ４２ａとを近接させることにより、第一のロゴ５４ａと第二のロゴ４２ａとが組合わされた形状を形成する可動役物装置３０を備える。そして、可動役物装置３０は、第一のロゴ５４ａと第二のロゴ４２ａとを、左右方向に近接して組合わされた横形状と、上下方向に近接して組合わされた縦形状との間で変化させることを可能としている。さらに、第一のロゴ５４ａと第二のロゴ４２ａとを横形状から縦形状に変化させる際には、第一のロゴ５４ａを下方向に移動させるとともに、第二のロゴ４２ａを第一のロゴ５４ａの上側に移動させるのである。より詳細には、第一の可動物５４を下方向に移動させるとともに第二の可動物４２を左下方向に移動させて、図８（ａ）に示す如く第一の可動物５４と第二の可動物４２とが横方向に隣接した横形状から、図８（ｂ）に示す如く第一の可動物５４と第二の可動物４２とが縦方向に隣接した縦形状に変化させている。これにより、第一のロゴ５４ａと第二のロゴ４２ａとにより形成される「お祭り男」の形状を横並びから縦並びに変化させている。
【００４０】
本実施形態に係る遊技機においては、上記の如く構成することにより、第一のロゴ５４ａと第二のロゴ４２ａとにより形成される「お祭り男」の形状を、横形状と縦形状とで大きく変化させることができるため、遊技者に新鮮な印象を与えることが可能となるのである。
【００４１】
また、本実施形態においては第一のロゴ５４ａが下方向に移動し、第二のロゴ４２ａが左下方向に移動するように構成している。これにより、第一のロゴ５４ａと第二のロゴ４２ａとで形成される横形状の「お祭り男」の位置と比較して、縦形状の「お祭り男」の位置を下方に変位させることができる。つまり、本実施形態によれば、「お祭り男」の形状を横形状から縦形状に変化させるだけではなく、その位置をも変化させることができるため、遊技者により新鮮な印象を与えることを可能としている。
【００４２】
なお、本実施形態はパチンコ遊技機について説明したが、本発明はパチスロ遊技機等の他の遊技機に適用することも可能である。
また、本実施形態においては第一のロゴ５４ａとして「お祭り」、第二のロゴ４２ａとして「男」という文字をそれぞれ形成したが、それぞれのロゴを異なる文字や図形で形成することも可能である。
また、本実施形態においては横形状から縦形状に変化させる構成について説明したが、逆に変化させる構成とすることも可能である。つまり、第一の可動物５４と第二の可動物４２とが縦方向に隣接した縦形状で、駆動モータ３２及び駆動ギヤ３２ｂを正面視で時計回りに駆動させるのである。つまり、第一の可動物５４を上方向に移動させるとともに第二の可動物４２を斜め方向かつ第一の可動物５４から離間する方向（本実施形態における右上方向）に移動させるのである。これにより、可動役物装置３０は第一の可動物５４と第二の可動物４２とが横方向に隣接した横形状となり、「お祭り男」の形状を縦並びから横並びに変化させることができる。
【００４３】
また、本実施形態においては第一のロゴ５４ａと第二のロゴ４２ａとを横形状から縦形状に変化させる際に、第二のロゴ４２ａを第一のロゴ５４ａの上側に移動させる構成としたが、第二のロゴ４２ａを第一のロゴ５４ａの下側に移動させることによって第一のロゴ５４ａと第二のロゴ４２ａとを縦形状に変化させる構成とすることも可能である。
【００４４】
また、本実施形態においては第一のレール部材３４を右上から左下に向けた斜め方向に配設しているが、第一のレール部材を左上から右下に向けた斜め方向に配設することも可能である。これにより、可動役物装置は、第一の可動物を右側、第二の可動物を左側として横方向に隣接した状態から、第一の可動物を下方向に移動させるとともに第二の可動物を右下方向に移動させて、第一の可動物と第二の可動物とが縦方向に隣接した状態に変化させることができる。これにより、第一のロゴと第二のロゴとにより形成される「お祭り男」の形状を横並びから縦並びに変化させることができる。さらに、可動役物装置は、駆動モータ及び駆動ギヤを逆回りに駆動させることにより、第一の可動物を上方向に移動させるとともに第二の可動物を左上方向に移動させて、第一の可動物と第二の可動物とが縦方向に隣接した状態から、第一の可動物と第二の可動物とが横方向に隣接した状態に変化させることができる。これにより、第一のロゴと第二のロゴとにより形成される「お祭り男」の形状を縦並びから横並びに変化させることができる。
【００４５】
また、本実施形態においては第一のロゴ５４ａと第二のロゴ４２ａとを横形状から縦形状に変化させる際に、第一のロゴ５４ａを下方向に移動させたが、第一のロゴ５４ａを上方向に移動させる構成とすることもできる。具体的には、第一のロゴ５４ａと第二のロゴ４２ａとが横形状である状態で、第一のロゴ５４ａを上方向に移動させるとともに、第二のロゴ４２ａを第一のロゴ５４ａの上側又は下側に移動させることにより、第一のロゴ５４ａと第二のロゴ４２ａとを縦形状に変化させることが可能となる。
【００４６】
また、本実施形態においては第一の可動物５４と第二の可動物４２とを移動させることによって「お祭り男」の形状を形成する構成としているが、三個以上の可動物によって形状を形成することも可能である。
【符号の説明】
【００４７】
５    遊技盤
３０    可動役物装置
４２    第二の可動物
４２ａ  第二のロゴ
５４    第一の可動物
５４ａ  第一のロゴ
【図１】
2015226587.tif 000003
【図２】
2015226587.tif 000004
【図３】
2015226587.tif 000005
【図４】
2015226587.tif 000006
【図５】
2015226587.tif 000007
【図６】
2015226587.tif 000008
【図７】
2015226587.tif 000009
【図８】
2015226587.tif 000010
【図９】
2015226587.tif 000011
【図１０】
2015226587.tif 000012